(57)【要約】      （修正有）【課題】照明装置の組み立てをより容易にする。【解決手段】光源から取り入れた光を出射する光出射面１０１を第１の面として有する棒状の導光体１０と、第１の面とは異なる第２の面１０２を覆う、導光体カバー１１を有する照明装置１であって、棒状の導光体１０は、光源５からの光が入射する長手方向の端面１００ａ、１００ｂと、長手方向に延び光を外部に出射する第１の面１０１と、を備える。導光体カバー１１は、長手方向にわたって導光体１０の第１の面１０１とは異なる第２の面１０２を覆うように設けられ、導光体カバー１０１は、導光体１０を保持する少なくとも１つの把持部１１０ａ、１１０ｂを備える。【選択図】図１
2019050563.tif 000002
【特許請求の範囲】
【請求項１】
光源と、
前記光源から取り入れた光を出射する光射出面を第１の面として有する、棒状の導光体と、
前記導光体の面のうち、前記第１の面とは異なる第２の面を覆う導光体カバーと、を有する照明装置であって、
前記第２の面は、前記導光体の長手方向に延びている面であり、
前記導光体カバーは前記長手方向に延在しており、
前記導光体カバーは、前記導光体を保持する少なくとも１つの指を有する、
ことを特徴とする照明装置。
【請求項２】
前記少なくとも１つの指が、先端が離間している２つの指を含むことを特徴とする、請求項１に記載の照明装置。
【請求項３】
前記２つの指の少なくとも１つの指がたわむ片であり、弾性力により前記導光体をつまむことを特徴とする請求項２に記載の照明装置。
【請求項４】
前記少なくとも１つの指は、前記導光体の長手方向における端部を保持することを特徴とする請求項１から３のいずれか１項に記載の照明装置。
【請求項５】
前記少なくとも１つの指は、前記端部において前記第１の面も覆うことを特徴とする請求項４に記載の照明装置。
【請求項６】
筐体と、
請求項１から５のいずれか１項に記載の照明装置と、
前記出射された光に読取対象の情報が含まれた光を集光するレンズアレイと、
前記レンズアレイが集光した光を光電変換するラインセンサと、を有する、
ことを特徴とするラインセンサ装置。
【請求項７】
請求項６に記載のラインセンサ装置と、前記ラインセンサ装置により得られた読取データを出力する出力部を有することを特徴とする読取装置。
【請求項８】
請求項７に記載の読取装置と、前記読取装置の読取結果に基づいて媒体に記録を行う記録手段と、前記媒体を搬送する搬送手段を有することを特徴とする記録装置。
【発明の詳細な説明】
【技術分野】
【０００１】
本発明は、照明装置、ラインセンサ装置、読取装置、及び記録装置に関する。
【背景技術】
【０００２】
ラインセンサを用いる読取装置用の照明装置として、棒状の導光体を用いることにより、点光源からの光を線状の照射領域に照射するものが知られている。例えば、特許文献１では、光源が棒状の導光体の両端に配置されており、導光体の長手方向の両端面から導光体に入射した光が、長手方向に延びた導光体の側面から出て読取対象へと照射される。導光体は、長手方向に延び光を拡散する光拡散面と、長手方向に延び光を読取対象に向けて出射する出射面を有する。さらに、導光体には、光の利用効率の向上を図るため導光体カバーが取り付けられている。導光体カバーは、導光体の光拡散面を覆っており、光拡散面から外部に出射した光を反射して、導光体の内部に入射させる。
【先行技術文献】
【特許文献】
【０００３】
【特許文献１】特開２０１４−０３３４４０号公報
【発明の概要】
【発明が解決しようとする課題】
【０００４】
特許文献１の構成では、導光体と導光体カバーとを組み立てる際に、導光体を導光体カバーに対して長手方向に沿って挿入する必要があった。このために、組み立てが容易ではないという課題があった。
【０００５】
本発明は、照明装置の組み立てをより容易にすることを目的とする。
【課題を解決するための手段】
【０００６】
本発明の目的を達成するために、例えば、本発明の照明装置は以下の構成を備える。すなわち、
光源と、
前記光源から取り入れた光を出射する光射出面を第１の面として有する、棒状の導光体と、
前記導光体の面のうち、前記第１の面とは異なる第２の面を覆う導光体カバーと、を有する照明装置であって、
前記第２の面は、前記導光体の長手方向に延びている面であり、
前記導光体カバーは前記長手方向に延在しており、
前記導光体カバーは、前記導光体を保持する少なくとも１つの指を有することを特徴とする。
【発明の効果】
【０００７】
照明装置の組み立てをより容易にすることができる。
【図面の簡単な説明】
【０００８】
【図１】一実施形態に係る照明装置の構成を表す分解斜視図。
【図２】導光体の長手方向の一方の端部の構成を示す図。
【図３】保持部における導光体及び導光体カバーの断面図。
【図４】導光体カバーの取り付け方向を説明する図。
【図５】一実施形態に係るラインセンサ装置の構成を表す概略図。
【図６】一実施形態に係る記録装置の構成を示す概略図。
【発明を実施するための形態】
【０００９】
以下、本発明の実施形態を図面に基づいて説明する。ただし、本発明の範囲は以下の実施形態に限定されない。本発明の一実施形態に係る照明装置は、ラインセンサ装置において用いることができる。まず、本発明の一実施形態に係る照明装置と、レンズアレイと、ラインセンサと、筐体とを備える、本発明の一実施形態に係るラインセンサ装置について簡単に説明する。
【００１０】
図５は、実施形態に係るラインセンサ装置６の全体構造を概略的に示す斜視図である。図中には、構造の理解の容易化のため、互いに直交するＸ方向、Ｙ方向及びＺ方向が示されている。ラインセンサ装置６は、Ｘ方向に延設された長尺状の構造を有する。Ｘ方向のことを、本明細書では長尺方向と呼ぶことがある。Ｚ方向は、ラインセンサ装置６の高さ方向に対応する。ラインセンサ装置６は、ラインセンサ装置６から＋Ｚ方向に位置する読取対象の像を読み取ることができる。また、Ｙ方向は、ラインセンサ装置６の幅方向に対応する。読取対象は特に限定されないが、例えば、原稿又は雑誌のような、平面上に文字又は画像が形成された記録媒体が挙げられる。
【００１１】
図５に示されるように、ラインセンサ装置６は、照明装置１、レンズアレイ２、ラインセンサ３、及び筐体４を備える。照明装置１は、Ｘ方向に延びた形状を有しており、読取対象上のＸ方向に延びた照射領域に対して一度に光を照射することができる。照明装置１は、端部に位置する光源５からの光を、導光体を介して、照明装置１のＸ方向の各位置から読取対象に向けて照射する。一実施形態において、光は可視光波長を含む光である。また、光は可視光線だけでなく、Ｘ線、紫外線又は赤外線等を含んでいてもよい。さらなる実施形態において、光はＸ線、紫外線、及び赤外線のうちいずれか、２以上、又は全てであってもよい。
【００１２】
レンズアレイ２は、照明装置１から読取対象に向けて照射された光を集光し、読取対象の情報が含まれた光をラインセンサ３に導く。レンズアレイ２は、Ｘ方向に延びた形状を有しており、読取対象上のＸ方向に延びた照射領域からの光を一度に集光することができる。レンズアレイ２は、例えば、それぞれがＺ方向に延びたロッドレンズが、Ｘ方向に配列された構造を有するロッドレンズアレイである。図５の例において、レンズアレイ２は、照明装置１とはＹ方向に離れて、筐体４上に固定されている。
【００１３】
ラインセンサ３は、レンズアレイ２により集光された光を検知する。ラインセンサ３は、Ｘ方向に延びた形状を有しており、レンズアレイ２により集光された光を一度に読み取ることができる。ラインセンサ３としては、例えばＣＭＯＳイメージセンサ等の公知の光電変換素子を用いることができる。図５の例において、ラインセンサ３は、レンズアレイ２とは−Ｚ方向に離れて、筐体４上に固定されている。
【００１４】
筐体４は、照明装置１、レンズアレイ２、及びラインセンサ３を支持及び収容することができる。筐体４の構成は特に限定されない。図５に示すように、筐体４は、Ｘ方向に延びた形状を有することができる。一実施形態において、筐体４は、表面で乱反射した光がラインセンサ３に到達することによるノイズの生成を防ぐために、表面が黒色であるか、又は黒色の材料で形成されている。
【００１５】
ラインセンサ装置６の構成は、図５に示す構成に限定されない。例えば、ラインセンサ装置６が、照明装置１が設けられた第１の筐体と、レンズアレイ２及びラインセンサ３が設けられた第２の筐体とを備えていてもよい。この場合、第１の筐体と第２の筐体とを、読取対象を挟むように配置してもよい。この構成において、ラインセンサ３は、照明装置１から照射され、読取対象を透過し、レンズアレイ２により集光された光を、検知することができる。
【００１６】
ラインセンサ装置６は、読取装置７において用いることができる。本発明の一実施形態に係る読取装置７は、ラインセンサ装置６と、ラインセンサ装置６によりより得られた読取データを出力する出力部と、を備える。この出力部は、例えば、筐体４に固定された基板である。この基板は、光の検出結果に応じたラインセンサ３からの信号を読取データとして受け取り、必要であれば信号処理を行った後で、外部に出力することができる。また、この基板は、外部から受け取った電力を、照明装置１又はラインセンサ３に供給することもできる。
【００１７】
以下、本発明に係る照明装置について詳しく説明する。なお、以下の説明において。図１〜４には、構造の理解の容易化のため、互いに直交するＸ方向、Ｙ方向及びＺ方向が示されている。図１〜４のＸ方向は、導光体１０の長手方向に相当し、図５のＸ方向と一致する。一方で、図１〜４のＹ方向及びＺ方向は、図５のＹ方向及びＺ方向と必ずしも一致しない。図１は、一実施形態に係る照明装置の構成を表す分解斜視図である。本発明の一実施形態に係る照明装置１は、導光体１０と、導光体カバー１１と、を備える。照明装置１は、導光体１０と導光体カバー１１とが図３〜４に示すように組み立てられた構造を有する。
【００１８】
図１に示すように、導光体１０は、棒状の導光体である。導光体１０は、光源５からの光が入射する長手方向の端面を有する。本実施形態の場合、光源５は、２つの光源５ａ，５ｂを含み、導光体１０は、光源５ａ，５ｂからの光がそれぞれ入射する長手方向の端面１００ａ，１００ｂを有する。また、導光体１０は、長手方向に延び、光源から取り入れた光を外部に出射する光射出面を第１の面１０１として有する。また、導光体１０は、長手方向に延び、第１の面１０１とは異なる第２の面１０２を有する。以下、第１の面１０１のことを出射面１０１と、第２の面１０２のことを反射面１０２と、それぞれ呼ぶことがある。なお、棒状とは、長手方向に延びた形状を有していることを意味する。図１に示す導光体１０はまっすぐに延びているが、導光体１０はその一部、より具体的には一方の端が曲がっていてもよい。
【００１９】
また、導光体カバー１１は、長手方向に延びた形状を有している。導光体カバー１１は、長手方向にわたって導光体１０の反射面１０２を覆うように延在している。なお、導光体カバー１１が、導光体１０の長手方向全体にわたって、導光体１０を覆う必要は無い。一実施形態において、導光体カバー１１は、導光体１０の長手方向の中央部を覆っている。例えば、導光体１０の少なくとも一方の端部は曲がっていてもよい。具体例として、導光体１０は、まっすぐに延びた中央部と、中央部の軸方向とは異なる方向に延びている端部と、を有していてもよい。この場合でも、導光体１０の中央部を覆うように導光体カバー１１を設けることができる。一方、少なくとも一方の端部が曲がっている導光体１０に対して、長さ方向の全体を覆うように導光体カバー１１を設けてもよい。このように、導光体カバー１１は、光源５から導光体１０の端部への光の進行方向と、導光体１０の端部から導光体内部への光の進行方向が異なる場合であっても、適用できる。
【００２０】
導光体１０の内部は光が透過可能である。すなわち、光源５ａ，５ｂからの光は、端面１００ａ，１００ｂを介して導光体１０内へ入射する。光は、導光体１０内で、全反射しながら長手方向に導かれる。反射面１０２に到達した光は、全反射又は拡散反射される。導光体カバー１１は、拡散反射された光が第１の面１０１から出射するように、第２の面１０２において光を拡散反射させるように構成されている。すなわち、導光体カバー１１は、本実施形態のように白色であることなどにより、反射面１０２に到達した光を拡散反射させる機能を有し、拡散反射された光の少なくとも一部は導光体１０及び出射面１０１を介して読取対象へと照射される。出射面１０１は、出射した光が読取対象上のライン状の照射領域に集中するように、凸形状を有していてもよい。なお、反射面１０２の少なくとも一部に、到達した光を拡散反射させる、例えば粗面部又は白色塗装部のような拡散反射部が設けられていてもよい。この場合でも、導光体カバー１１は、拡散反射により導光体１０の外に出た光を導光体１０に戻すことができる。図１の例において、導光体カバー１１は、反射面１０２の少なくとも一部に到達した光を遮光しているということができる。また、図１の例において、導光体カバー１１は、反射面１０２の少なくとも一部を外部から不可視となるように覆っているといえる。
【００２１】
導光体１０の内部は光が透過可能である。例えば、導光体１０は、ポリアクリルのような透明材料で構成された、透明部材である。導光体カバー１１は、光不透過性である。一実施形態において、出射面１０１へと向かう光量を増やすために、導光体カバー１１は白色である。このような導光体カバー１１の材料の例としては、酸化チタンを含有するポリカーボネートが挙げられる。一方、表面で乱反射した光がラインセンサ３に到達することによるノイズの生成を防ぐために、導光体カバー１１は黒色であってもよい。
【００２２】
照明装置１は、１つ以上の光源５を備えることができる。もっとも、光源５は照明装置１の外部の構成部品であってもよい。図１の例において、照明装置１は光源５として２つの光源５ａ，５ｂを有し、導光体１０はその両端に光源５ａ，５ｂのそれぞれからの光が入射する端面１００ａ，１００ｂを有している。しかしながら、１つの光源５のみが用いられてもよい。すなわち、照明装置は１つの光源５を有していてもよく、導光体１０はその一端に光源５からの光が入射する端面１００を有していてもよい。
【００２３】
導光体カバー１１は、長手方向に延びた長尺部分と、導光体１０を保持する少なくとも１つの指を有している。一実施形態において、導光体カバー１１は、例えば白色のポリカーボネート材のような、可撓性を有する長い形状である。導光体カバー１１が有する指は、導光体カバー１１の長尺部分から突出した、導光体カバー１１の一部分である。
【００２４】
導光体カバー１１が有する指のうち少なくとも１つは、導光体１０に力を加えることにより、導光体１０を保持してもよい。例えば、導光体カバー１１が有する指のうち少なくとも１つが、たわむ片であってもよく、たわむ片の弾性力により導光体をつまんでもよい。一方で、導光体カバー１１が有する指のうち少なくとも１つは、導光体１０に力を加えないで導光体１０を保持してもよい。例えば、導光体カバー１１が有する指のうち少なくとも１つが、後述する突出部１１１を有していてもよく、弾性力に頼らずに導光体１０を支持してもよい。このような指が導光体１０をつまみ若しくは挟むことにより、又は指と長尺部分との間に導光体１０を挟むことにより、ある程度の外力がかかった場合でも導光体１０を保持することができる。一方で、より強い外力をかけることにより、導光体１０の導光体カバー１１への装着又は分離を行うことができる。
【００２５】
導光体カバー１１が有する少なくとも１つの指は、先端が離間している２つの指を含んでいてもよい。この場合、２つの指の少なくとも１つの指がたわむ片であって、弾性力により導光体１０をつまんでいてもよい。本実施形態においては、例えば、２本の指のような互いに離間した形状で導光体１０をつまみ、又は挟むことができる。また、この少なくとも２つの指の少なくとも一方がたわむ片であってもよく、こうして指は弾性力により導光体１０の端部をつまむことができる。
【００２６】
以下、導光体カバー１１が有する指のうち少なくとも１つを構成部分として含む把持部１１０について説明する。把持部１１０は、ある程度の外力がかかった場合でも導光体１０を保持することができるが、より強い外力がかかった場合には導光体１０が導光体カバー１１から分離するように、導光体１０を把持する。導光体カバー１１は、長手方向に延びた長尺部分と導光体１０を把持する把持部１１０とを備えている。把持部１１０は、導光体１０の長手方向の一箇所である把持位置１０４において、導光体１０を把持する。一方、導光体１０の外周、すなわち、Ｘ軸を中心とした周方向の一部は、導光体カバー１１によって覆われていない。
【００２７】
本実施形態において、導光体カバー１１が有する少なくとも１つの指は、導光体１０の長手方向における端部を保持する。すなわち、把持部１１０は、導光体１０の端部を把持する。ここで、導光体１０の端部とは、導光体１０の端面１００から、導光体１０の長尺方向の長さの１０％以内の部分を指す。また、本実施形態において、導光体カバー１１は、それぞれ異なる位置で導光体１０を保持する２つ以上の指を有していてもよい。図３（Ａ）に示す導光体カバー１１は、それぞれ異なる把持位置１０４ａ，１０４ｂにおいて導光体１０を把持する２以上の把持部１１０ａ，１１０ｂを備えている。
【００２８】
本実施形態において、導光体カバー１１が有する少なくとも１つの指は、導光体１０の長手方向における端部において、出射面１０１も覆っている。図３（Ａ）は、一実施形態に係る、把持位置１０４における、導光体１０及び導光体カバー１１の長尺方向に垂直な面での断面図である。図３（Ａ）に示すように、把持位置１０４において、導光体１０の外周の一部が露出していることがわかる。すなわち、把持位置１０４において、導光体１０は導光体カバー１１に完全に取り囲まれていない。把持位置１０４における長尺方向に垂直な断面において、導光体カバー１１は開口を有している。一方で、把持位置１０４において、把持部１１０ａ，１１０ｂは出射面１０１を覆っている。
【００２９】
このため、導光体１０は、長手方向と交差する方向から、把持部１１０によって保持される位置へと挿入可能である。例えば、図４（Ａ）に示すように、導光体１０と導光体カバー１１とを組み立てる際に、矢印で示すように導光体１０を長手方向に交差する方向から導光体カバー１１に挿入することができる。すなわち、導光体カバー１１及び把持部１１０が可撓性を有することにより、把持部１１０が変形して導光体カバー１１の挿入を可能とする。また、把持部１１０が有する板ばねの力のような弾性力により、把持部１１０は挿入後に導光体１０を外れないように保持することができる。このため、組み立てを容易とすることができ、又は組み立て時間を短縮することができる。また、組み立て時において、導光体１０の第１の面１０１及び第２の面１０２は、把持位置１０４においてのみ把持部１１０に接触する。このため、組み立て時における、物理的衝撃による導光体１０の変形を減らすことができる。
【００３０】
一方、参考までに、図３（Ｂ）に示すように、把持位置において導光体カバー１１の把持部は導光体１０の側面を１周にわたって覆う様子を図示する。このため、導光体１０と導光体カバー１１とを組み立てる際には、図４（Ｂ）に矢印で示すように、導光体１０を導光体カバー１１に対して長手方向に挿入する必要があった。本実施形態は、このような図３（Ｂ）に示す例に対し、上記のような優位性を有している。
【００３１】
図３（Ａ）は、一実施形態における、把持位置１０４における長手方向と垂直な断面図である。図３（Ａ）において、Ｘ方向に長い導光体カバー１１は、長尺方向に長い本体である長尺部分から、その長尺方向における端において突出した突出部である、２本の指１１０ａａ，１１０ａｂを有している。これら２本の指１１０ａａ，１１０ａｂが、図３（Ａ）における把持部１１０ａである。本実施形態において、この指１１０ａａ，１１０ａｂの間から、導光体１０は露出している。露出している部分は特に限定されず、導光体１０の導光体カバー１１への挿入の容易さ又は挿入後の脱落のしにくさを考慮して設計することができる。すなわち、露出している部分は、導光体１０の出射面１０１に対応する部分であってもよいし、出射面１０１に対応する部分でなくてもよい。図１では、２つの把持部１１０ａ，１１０ｂが、導光体カバー１１のＸ方向の両端にある。把持部１１０ｂが図３（Ａ）に示す構成を有していてもよい。この一対の指１１０ａａ，１１０ａｂの少なくとも一方は、導光体１０と導光体カバー１１との分離をより抑えるための脱落防止部を有していてもよい。図３（Ａ）において、２本の指１１０ａａ，１１０ａｂのうち、指１１０ａａには、その先端に脱落防止部が設けられている。脱落防止部は、例えば導光体１０の脱落を抑えるように指１１０ａａから突出した突出部１１１である。突出部１１１は、例えば、瘤状の形状、かぎ爪状の形状、または、返しを有する針状の形状を有していてもよい。指１１０ａａが突出部１１１を有していることにより、把持部１１０は導光体１０をより外れにくい状態で保持することができる。また、指１１０ａａが突出部１１１を有していることにより、指１１０ａａ，１１０ａｂが導光体１０に対して力を加えていなくても、把持部１１０は導光体１０をより外れにくい状態で保持することができる。なお、指１１０ａａ、１１０ａｂの両方が突出部を有していてもよい。また、指が１本の場合であっても、１本の指に突出部を設けることにより把持部１１０は導光体１０をより外れにくい状態で保持することができる。
【００３２】
一実施形態において、把持部１１０は可撓性を有している。このような把持部１１０の例としては、ポリカーボネートのような樹脂材料が挙げられる。なお、把持部１１０の材料は導光体カバー１１の材料と同じであってよく、導光体カバー１１及び把持部１１０は一体成形することができる。一実施形態において、把持部１１０の一対の指１１０ａａ，１１０ａｂの間の距離は、導光体１０の幅よりも短い。ここで、導光体１０の幅とは、導光体１０の最大直径（把持位置１０４での長尺方向に垂直な断面における、外周上の任意の２点間の距離のうち最大のもの）のことを指す。
【００３３】
例えば、図３（Ａ）の例において、外力が加えられていないときの一対の指１１０ａａ，１１０ａｂの間の距離はＬ０であり、導光体１０の幅はＬ２であり、Ｌ０＜Ｌ２である。図４（Ａ）に示すように導光体１０を導光体カバー１１に挿入する際には、一対の指１１０ａａ，１１０ａｂの間を広げてその距離をＬ２以上とすることができる。一方、導光体１０と導光体カバー１１とを組み立てた後において、一対の先指１１０ａａ，１１０ａｂの間の距離はＬ１であり、Ｌ１＜Ｌ２である。このように、一対の指１１０ａａ，１１０ａｂの間の距離Ｌ１が、導光体１０の幅Ｌ２よりも短いため、導光体カバー１１からの導光体１０の脱落を抑制することができる。
【００３４】
一実施形態において、把持位置１０４において、把持部１１０は、導光体１０の外周と相補的な形状を有している。また、一実施形態において、把持部１１０は、第２の面１０２に加えて、第１の面１０１を覆っている。これらの構成によれば、把持部１１０が導光体をより確実に保持することができる。
【００３５】
一実施形態において、図１に示すように、導光体１０は、光源５からの光が入射する長手方向の端面１００と、光を外部に出射する領域（出射面１０１）と光を反射する領域（反射面１０２）を有する側部を備える。導光体カバー１１は、導光体１０の側部を周方向に覆い、かつ、周方向の一部を覆わないように構成されている。例えば、導光体カバー１１は、光を外部に出射する領域を覆わずに、側部の少なくとも一部を覆うことができる。ここで、周方向とは、導光体１０のＹＺ面における断面上における周方向のことである。例えば、導光体１０の外縁に沿って導光体１０を取り巻く方向のことを指す。すなわち、導光体１０が円筒状であって周方向が円周方向である必要はなく、導光体１０の断面は楕円形又は多角形のような任意の形状であってもよい。また、導光体カバー１１は、把持部１１０のような脱落防止部を有している。この脱落防止部は、脱落防止位置（例えば把持位置１０４）において、脱落防止位置における導光体１０の側部の少なくとも一部が露出するように導光体１０を把持することができる。
【００３６】
図１及び図２に示すように、一実施形態において、導光体１０は第２の面１０２に突起１０３を有している。突起１０３は、例えばセンサ基板またはロッドレンズアレイ等を収容する筐体４と係合する。筐体４が有する係合部は、突起１０３を受け入れる凹部であってもよい。突起１０３と、筐体４とが係合することにより、導光体１０の、筐体４に対する長手方向の相対的な移動が規制されるので、導光体１０の長手方向の位置ずれを防止することができる。そして、導光体カバー１１は、突起１０３が貫通する開口部１１３を有している。例えば、開口部１１３は突起１０３が貫通可能な貫通孔である。突起１０３及び開口部１１３は、正しい相対配置で導光体１０と導光体カバー１１とを組み立てた際に、突起１０３が開口部１１３を貫通し、導光体カバー１１の外面に突出する位置に設けることができる。一実施形態において、導光体１０は１以上の突起１０３を有する。また、一実施形態において、突起１０３は導光体１０の端部に設けられている。このような構成によれば、正しい相対配置で導光体１０と筐体４とを組み立てることが容易となる。
【００３７】
不図示のさらなる一実施形態において、突起１０３は、開口部１１３と係合してもよい。この場合、突起１０３は、筐体４および開口部１１３の両方と係合することができる。正しい相対配置で導光体１０と導光体カバー１１と筐体４とを組み立てた際に、突起１０３は、開口部１１３を貫通した状態で開口部１１３と係合し、さらに筐体４が有する係合部と係合する。このような構成によれば、導光体１０の、導光体カバー１１及び筐体４に対する長手方向の相対的な移動が規制され、したがって導光体１０の長手方向の位置ずれを防止できる。
【００３８】
上述の読取装置７は、記録装置の構成要素として用いることができる。図６は、本発明の一実施形態に係る記録装置８の概略構成図である。記録装置８は、媒体の読取を行う読取装置７と、読取装置７による読取結果に基づいて媒体に記録を行う記録部９ａと、媒体を搬送する搬送部９ｂと、を備える。
【００３９】
記録部９ａはインクジェット方式又は電子写真方式等の任意の方法で、媒体Ｐ（例えば紙）に文字又は画像等を記録することができる。また、搬送部９ｂとしては、媒体を上流から下流へと搬送する搬送ローラを用いることができる。一実施形態において、記録装置８はコピー処理を行うことができ、この場合記録部９ａは、読取装置７が読み取った画像を、媒体に記録する。また、一実施形態において、記録装置８はフィードバック制御を行うことができる。例えば、読取装置７は、記録部９ａにより記録が行われた後の媒体に対する読取を行い、読取データを記録部９ａに送信することができる。この読取データに基づき、記録部９ａは媒体への記録状態を確認することができ、次回記録時における記録パラメータを制御することができる。
【００４０】
本発明は、以上に例示された態様に限られるものではなく、本発明の趣旨を逸脱しない範囲での変更が可能である。また、本明細書に記載された個々の用語は、本発明を説明する目的で用いられたものに過ぎず、本発明は、その用語の厳密な意味に限定されるものでないことは言うまでもなく、その均等物をも含みうる。
【符号の説明】
【００４１】
１０：導光体、１１：導光体カバー、１００：端面、１０１：出射面、１０２：反射面、１０４：把持位置、１１０：把持部
【図１】
2019050563.tif 000003
【図２】
2019050563.tif 000004
【図３】
2019050563.tif 000005
【図４】
2019050563.tif 000006
【図５】
2019050563.tif 000007
【図６】
2019050563.tif 000008